(57)【要約】      （修正有）【課題】構造が非常に単純であり、製造コストも低下する利点があり、且つ、障害物によって妨害されない平常の耕作時にもシリンダーのロードに一定した圧力が形成されることで、耕作部が持ち上げられることが発生せず、均一な耕作が可能になる耕作機の安全装置を提供する。【解決手段】駆動シリンダーは、ロードが挿入される胴体の一側にそれぞれ形成された第１の流入孔３０５と第２の流出孔３０６と、胴体の他側にそれぞれ形成された第１の流出孔３０２と第２の流入孔３０９と、前記第１の流出孔に設けられる逃がし弁３０３と、前記逃がし弁と第１の流入孔を連結する第１の油圧ライン３０４と、前記第２の流出孔と第２の流入孔を連結する第２の油圧ライン３０７と、前記第２の流出孔または第２の流入孔または第２の油圧ライン上に設けられ、第２の流出孔に油圧が逆流入されることを防止するチェック弁３０８と、で構成する。【選択図】図２
2017093417.tif 000002
【特許請求の範囲】
【請求項１】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板が形成されたロードが挿入される胴体と、
前記胴体の一側にそれぞれ形成された第１の流入孔と第２の流出孔と、
前記胴体からロードが伸張された際、加圧板の後側部位にそれぞれ形成された第１の流入孔と第２の流出孔と、
胴体の他側にそれぞれ形成された第１の流出孔と第２の流入孔と、
前記第１の流出孔に設けられる逃がし弁と、
前記逃がし弁と第１の流入孔を連結する第１の油圧ラインと、
前記第２の流出孔と第２の流入孔を連結する第２の油圧ラインと、
前記第２の流出孔または第２の流入孔または第２の油圧ライン上に設けられ、第２の流出孔に油圧が逆流入されることを防止するチェック弁と、で構成され、
前記第１の流入孔と第２の流出孔は、胴体からロードが伸張された際、加圧板の後方部位にそれぞれ位置し、前記第１の流出孔と第２の流入孔はロードが圧縮された際、加圧板の前方部位にそれぞれ位置するように構成された
ことを特徴とする耕作機の安全装置。
【請求項２】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板がそれぞれ形成された第１のロードと第２のロードが両側にそれぞれ挿入される胴体と、
前記胴体の中央部位にそれぞれ形成される第１の流出孔と第３の流入孔と、
前記第１のロードが挿入される胴体の一側にそれぞれ形成された第１の流入孔と第２の流出孔と、
前記第２のロードが挿入される胴体の他側にそれぞれ形成された第２の流入孔と第３の流出孔と、
前記第１の流出孔に設けられる逃がし弁と、
前記逃がし弁と第１の流入孔を連結する第１の油圧ラインと、
前記逃がし弁と第２の流入孔を連結する第２の油圧ラインと、
前記第２の流出孔と第３の流入孔を連結する第３の油圧ラインと、
前記第３の流出孔と第３の流入孔を連結する第４の油圧ラインと、
前記第２の流出孔または第３の油圧ライン上に設けられ、第２の流出孔に油圧が逆流入されることを防止する第１のチェック弁と、
前記第３の流出孔または第４の油圧ライン上に設けられ、第３の流出孔に油圧が逆流入されることを防止する第２のチェック弁と、で構成され、
前記第１の流入孔と第２の流出孔は、胴体から第１のロードが伸張された際、加圧板の後方部位にそれぞれ位置し、前記第２の流入孔と第３の流出孔は、第２のロードが伸張された際、加圧板の後方部位にそれぞれ位置し、前記第１の流出孔と第３の流入孔は、前記第１のロードと第２のロードが圧縮された際、その前方部位に位置するように構成された
ことを特徴とする耕作機の安全装置。
【請求項３】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板が形成されたロードが挿入される胴体と、
前記胴体の一側に形成された第１の油圧孔と、
前記胴体の他側に形成された第２の油圧孔と、
前記第１の油圧孔と第２の油圧孔を連結する油圧ラインと、で構成され、
前記第１の油圧孔は、胴体からロードが伸張された際、加圧板の後方部位に位置し、前記第２の油圧孔は、ロードが圧縮された際、加圧板の前方部位にそれぞれ位置するように構成された
ことを特徴とする耕作機の安全装置。
【請求項４】
前記ロードまたは第１のロードまたは第２のロードの中、何れか一つにはねじ山が備えられ、前記メインフレームまたは耕作部に回転アームが回転が可能になるように更に結合され、前記回転アームには、ナット部材が固定されて設けられ、前記ロードとナット部材が結合される
請求項１ないし３のいずれかに記載の耕作機の安全装置。
【請求項５】
前記駆動シリンダーの後方には長ボルトが更に連結され、前記メインフレームまたは耕作部に形成された結合部に長ボルトが上下方向への回転が可能になるように結合され、長ボルトが結合部の前方及び後方でナット部材によって固定される
請求項１ないし３のいずれかに記載の耕作機の安全装置。
【発明の詳細な説明】
【技術分野】
【０００１】
本発明は、耕作機の安全装置に関し、特に、トラクター用の犁、両用犁、溝犁、培土器、心土破鎖機などの耕作機が耕作地を耕作する際、石や岩石などの障害物によって過負荷が発生する場合、衝撃を緩和して破損を防止すると共に、作業の能率を向上させ、且つ、非常に簡単な構造での製造が可能である耕作機の安全装置に関する。
【背景技術】
【０００２】
本発明では、耕作機の中で代表的に使われている犁を例に挙げて、従来の技術と本発明の技術について説明するが、これは犁に限られない。
【０００３】
一般的に、犁とは、作物を栽培する目的として牛馬などの家畜や機械などを利用して土を掘り起こし、覆すことで畝を作るのに使われるものである。
【０００４】
従来のトラクター用犁装置は、トラクターのサイズや馬力によって複数の犁部を具備した多用犁装置からなる。普通は、トラクター用犁装置は、犁部が３個から８個までの複数で備えられており、それぞれの犁部がメインフレームに対してジグザグに設けられるか牽引方向に対して斜線にメインフレームに設けられる。
【０００５】
前記従来のトラクター用犁装置の作業時に、犁作業を進行する際、土中に埋められている岩石に犁部が衝突するような突発状況が発生することもある。これによって、犁部が単にメインフレームに固定されて設けられている場合には岩石による衝撃力がそのまま与えられるので、犁部が破損するか形状が変形してしまったり、溝の形態を崩したり、装置全体の故障を発生させる問題がある。
【０００６】
よって、本願の出願人の特許文献１（トラクター用犁装置）では、犁部の破損を防止できる安全装置が提案されている。
【０００７】
このような従来の技術のトラクター用装置は、「前方にトラクターと連結されて牽引されるトラクター連結部を備えるメインフレームと、前記メインフレームに回転が可能になるように設けられる複数の犁部と、前記犁部のそれぞれを上下回転させる複数の駆動シリンダーと、前記メインフレームに固定されて設けられて、ピストンロードが内外に挿入及び突き出されるようにスライド可能に装着された緩衝シリンダーと、前記駆動シリンダーの一側と緩衝シリンダーの一側を連結する第１の油圧ラインと、前記メインフレームに固定されて設けられて、ピストンロードが内外に挿入及び突き出されるようにスライド可能に装着された補助シリンダーと、前記緩衝シリンダーの他側と補助シリンダーの一側を連結する第２の油圧ラインと、前記補助シリンダーの他側と駆動シリンダーの他側を連結する第３の油圧ラインと、で構成」されている。
【０００８】
動作過程について説明すれば、犁部が岩石にかかればその岩石による外力によって上方に回転するようになり、この時、駆動シリンダーの内部の油圧が第１の油圧ラインを通じて緩衝シリンダーの流入口に流入され、これによりシリンダーロードが緩衝シリンダーの内部に挿入されながら流出口を通じて緩衝シリンダーの内部の油圧が補助シリンダーの流入口に第２の油圧ラインを通じて流出される。
【０００９】
同時に、補助シリンダーのシリンダーロードも補助シリンダーの内部に挿入されながら内部の油圧が流出口に流出され、第３の油圧ラインを通じて駆動シリンダーの他側に流入されることで、岩石による過度な圧力を吸収するようになる。
【００１０】
岩石によって上方に回転するようになった犁部が元の位置に戻されれば、逆に油圧が補助シリンダーと緩衝シリンダーに流入されるところ、すなわち、駆動シリンダーの他側から流入された油圧が第３の油圧ラインを通じて補助シリンダーの流出口に流入され、シリンダーロードを押して外部に引き出し、補助シリンダーの内部の油圧は流入口を通じて流出され、第２の油圧ラインを介して緩衝シリンダーの流出口に流入される。
【００１１】
よって、緩衝シリンダーのシリンダーロードが外部に引き出され、内部の油圧が第１の油圧ラインを通じて駆動シリンダーに流入されることで、元の位置に戻される。
【００１２】
この際、補助シリンダーのシリンダーロードを弾性支持するために補助シリンダーの内部にはバネが設けられ、シリンダーロードが流入される油圧によって内側に挿入される際、これを弾性力を持ちながら支持するようになる。
【００１３】
ところで、このような従来の技術は、各駆動シリンダーと補助シリンダー、及び緩衝シリンダーを連結する多くの油圧ラインが備えられるべきなので、非常に複雑であり、且つ製造コストも大きく増加する。
【００１４】
さらに、補助シリンダーの場合、内部にバネが設けられているので、犁が地を掘る都度、補助シリンダーから流出された油圧が駆動シリンダーに第３の油圧ラインを通じて流入されることで、シリンダーロードが圧縮されて、岩石などの障害物によって妨害されないとしても犁が少しずつ後方に反り返られるので、地が均一に耕作されないという問題があった。
【先行技術文献】
【特許文献】
【００１５】
【特許文献１】韓国登録特許第１０−１１１７７６９号
【発明の概要】
【発明が解決しようとする課題】
【００１６】
本発明は、このような従来の問題点を解決するために、駆動シリンダーのみによって耕作機に加えられる障害物の衝撃を緩和させることで、構造が簡単であり、且つ耕作機を安定的に支持できるようにした耕作機の安全装置を提案するのにその目的がある。
【課題を解決するための手段】
【００１７】
上記の目的を達成するための本発明の第１の実施例に係る耕作機用安全装置は、前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、前記駆動シリンダーは、ロードが挿入される胴体の一側にそれぞれ形成された第１の流入孔と第２の流出孔と、胴体の他側にそれぞれ形成された第１の流出孔と第２の流入孔と、前記第１の流出孔に設けられる逃がし弁と、前記逃がし弁と第１の流入孔を連結する第１の油圧ラインと、前記第２の流出孔と第２の流入孔を連結する第２の油圧ラインと、前記第２の流出孔または第２の流入孔または第２の油圧ライン上に設けられ、第２の流出孔に油圧が逆流入されることを防止するチェック弁と、で構成される。
【００１８】
本発明の第２の実施例に係る耕作機用安全装置は、前方にトラクターと連結されて牽引されるトラクター連結部を備えるメインフレームと、前記メインフレームに上下方向への回転が可能になるように設けられて地を耕作する耕作部と、前記耕作部をメインフレームから弾性支持する駆動シリンダーと、で構成された耕作機の安全装置において、前記駆動シリンダーは、胴体の両側にそれぞれ挿入される第１のロードと第２のロードと、前記胴体の中央部位にそれぞれ形成される第１の流出孔と第３の流入孔と、前記第１のロードが挿入される胴体の一側にそれぞれ形成された第１の流入孔と第２の流出孔と、前記第２のロードが挿入される胴体の他側にそれぞれ形成された第２の流入孔と第３の流出孔と、前記第１の流出孔に設けられる逃がし弁と、前記逃がし弁と第１の流入孔を連結する第１の油圧ラインと、前記逃がし弁と第２の流入孔を連結する第２の油圧ラインと、前記第２の流出孔と第３の流入孔を連結する第３の油圧ラインと、前記第３の流出孔と第３の流入孔を連結する第４の油圧ラインと、前記第２の流出孔または第３の油圧ライン上に設けられ、第２の流出孔に油圧が逆流入されることを防止する第１のチェック弁と、前記第３の流出孔または第４の油圧ライン上に設けられ、第３の流出孔に油圧が逆流入されることを防止する第２のチェック弁と、で構成される。
【００１９】
本発明の第３の実施例に係る耕作機用安全装置は、前方にトラクターと連結されて牽引されるトラクター連結部を備えるメインフレームと、前記メインフレームに上下方向への回転が可能になるように設けられて地を耕作する耕作部と、前記耕作部をメインフレームから弾性支持する駆動シリンダーと、で構成された耕作機の安全装置において、前記駆動シリンダーは、ロードが挿入される胴体の一側に形成された第１の油圧孔と、胴体の他側に形成された第２の油圧孔と、前記第１の油圧孔と第２の油圧孔を連結する油圧ラインと、で構成される。
【発明の効果】
【００２０】
このような本発明は、従来のように遠隔地に補助シリンダーと緩衝シリンダーが設けられず、且つ、これを連結する油圧ラインが不要であり、駆動シリンダー自体の流入孔と流出孔を油圧ラインで連結することで、構造が非常に単純であると共に、製造コストも低下する利点がある。
【００２１】
さらに、障害物により妨害されない平常の耕作時にもシリンダーのロードに一定した圧力が形成されることで、耕作部が持ち上げられることが発生しないので均一な耕作が可能になる。
【図面の簡単な説明】
【００２２】
【図１】本発明が適用された耕作機を例示する説明図
【図２】本発明の第１の実施例を示す説明図
【図３】本発明の第２の実施例を示す説明図
【図４】本発明の第３の実施例を示す説明図
【図５】加圧板の加圧力を調節するための構造を示す説明図
【図６】加圧板の加圧力を調節するための構造を示す説明図
【発明を実施するための形態】
【００２３】
添付した図面を参照しながら本発明について説明する。
本発明では耕作機の一種である犁を例に挙げて説明する。
【００２４】
図１は、本発明が適用された耕作機を例示する図であって、メインフレーム１００、耕作部２００、駆動シリンダー３００で構成される。
【００２５】
メインフレーム１００は前方にトラクターと連結されて牽引されるトラクター連結部を備える。
【００２６】
耕作部２００、すなわち犁部２００は実質的に犁作業、すなわち土を掘りあげて覆す役割をするものであって、前記メインフレーム１００に設けられる。
【００２７】
犁部２００はメインフレーム１００に上下回転が可能になるように設けられて、犁さき及び犁のへらで構成される。
【００２８】
駆動シリンダー３００は犁部２００に１対１に対応されるように設けられ、このような駆動シリンダー３００は油圧を利用した油圧シリンダーであり、犁部２００の上下回転時に、これに連動して直線往復運動する複動シリンダーである。
【００２９】
このようなシリンダー３００のロード３１１端部は犁部２００の上側で回転結合部２１０によって回転が可能になるように結合され、シリンダー３００の後端は結合部１１０によってメインフレーム１００に回転が可能になるように結合される。
【００３０】
図２は、本発明の第１の実施例に係る駆動シリンダー３００の構造であって、シリンダー胴体３１０の一側にロード３１１が結合され、そのロード３１１の前端には加圧板３１２が形成され、後端は犁部２００の回転結合部２１０に結合されるためのピン組み立て部３１３が形成されている。
【００３１】
また、胴体３１０の一側、すなわち、ロード３１１が挿入される一側には第１の流入孔３０５と第２の流出孔３０６がそれぞれ形成されるところ、このような第１の流入孔３０５と第２の流出孔３０６はロード３１１が伸張された際、加圧板３１２の後側部位に位置する。
【００３２】
胴体３１０の他側には第１の流出孔３０２と第２の流入孔３０９がそれぞれ形成され、第１の流出孔３０２には逃がし弁３０３が設けられている。
【００３３】
このような逃がし弁３０３は、シリンダー胴体３０１の内部に一定した油圧が形成された場合に開かれる構造である。
【００３４】
前記逃がし弁３０３と第１の流入孔３０５との間には第１の油圧ライン３０４が連結されるところ、第１の油圧ライン３０４は金属管の形態を有し、また第２の流出孔３０６と第２の流入孔３０９との間には金属管の形態の第２の油圧ライン３０７が連結される。
【００３５】
第２の油圧ライン３０７上にはチェック弁３０８が設けられ、第２の流出孔３０６から流出された油圧がまた第２の流出孔３０６側へ逆流されることを防止しながら第２の流出孔３０６から第２の流入孔３０９にのみ油圧が流れるようにする。
【００３６】
このようなチェック弁３０８は第２の流出孔３０６または第２の流入孔３０９に設けられることができる。
【００３７】
本発明の第１の実施例に係る動作について説明する。
【００３８】
平常の地を耕作する際にはロード３１１が伸張された状態なので、胴体３０１の内部、すなわち、加圧板３１２の前方には一定した圧力が形成され、犁部２００が上側に回転しないように支持するようになる。
【００３９】
この際、逃がし弁３０３は、胴体３０１の内部に設定された圧力よりも過度な圧力が形成されていない状態なので、閉じられた状態になる。
【００４０】
犁部２００が石や岩石などの障害物によって妨害されるようになり、胴体３０１の内部の圧力よりも大きな力が犁部２００に印可され、犁部２００がメインフレーム１００から上側に回転して持ち上げられて障害物を回避するようになるところ、この際、ロード３１１が圧縮されることによって胴体３０１の内部の圧力が増加するようになる。
【００４１】
胴体３０１の内部の圧力が過度に増加され、逃がし弁３０３の設定圧力よりも大きくなれば、逃がし弁３０３が開かれるようになり、胴体３０１の内部の油圧は第１の流出孔３０２と逃がし弁３０３、第１の油圧ライン３０４、及び第１の流入孔３０５を通じて加圧板３１２の後方部位に流入される。
【００４２】
これと同時に、第２の流出孔３０６を通じて加圧板３１２の後方に形成された圧力が第２の油圧ライン３０７と第２の流入孔３０９を通じて加圧板３１２の前方部位に流入され、この際、加圧板３１２の前方部位に形成された圧力はチェック弁３０８によって第２の流出孔３０６に逆流しなくなる。
【００４３】
結局、加圧板３１２の前方部位と後方部位が互いに油圧を共有しながら同じ圧力が形成されるが、加圧板３１２の後面部位はその前面部位よりロード３１１の太さだけ圧力が加えられる面積が減るようになることで、加圧板３１２の前面部位が後面部位よりも更に大きな圧力を受けるようになり、ロード３１１が伸張される力を有するようになる。
【００４４】
よって、犁部２００が障害物を回避した後には加圧板３１２の前面部位に加えられる圧力によってロード３１１が伸張されるので、犁部２００は元の位置に戻され、これと同時に加圧板３１２の後方部位の油圧は第２の流出孔３０６を通じて第２の流入孔３０９に流入されるようになる。
【００４５】
犁部２００が障害物によって妨害されない平常の耕作作業時には、加圧板３１２の前面部位に作用する圧力が後面部位に作用する圧力よりも大きくなり、犁部２００は容易に持ち上げられなくなるので、地が均一に耕作される。
【００４６】
このような構造は、駆動シリンダー３００の油圧を外部の別途のシリンダーに連結しないことで非常に単純な構造を有するようになる。
【００４７】
図３は、本発明の第２の実施例であって、シリンダーのロード３３７、３４０が胴体３２１の両側に挿入された構造である。
【００４８】
第１のロード３３７の加圧板３３６の後方部位にそれぞれ第１の流入孔３２５と第２の流出孔３２６が形成され、第２のロード３３８の加圧板３３９の後方部位にもそれぞれ第２の流入孔３３１と第３の流出孔３３２が形成される。
【００４９】
尚、第３の油圧ライン３０７または第２の流出孔３２６には第１のチェック弁３２８が設けられ、第２の流出孔３２６から流出された油圧がまた第２の流出孔３２６の方に逆流されることを防止しながら、第２の流出孔３２６から第３の流入孔３２９のみに油圧が流れるようにする。
【００５０】
さらに、第４の油圧ライン３３３または第３の流出孔３３２には第２のチェック弁３３４が設けられ、第３の流出孔３３２の方への逆流を防止しながら、第３の流出孔３３２から第３の流入孔３２９のみに油圧が流れるようにする。
【００５１】
このような第１のチェック弁３２８は第２の流出孔３２６または第３の油圧ライン３２７に設けられることができ、且つ、第２のチェック弁３３４は第３の流出孔３３２または第４の油圧ライン３３３に設けられることができる。
【００５２】
第１のロード３３５のピン組み立て部３３７と第２のロード３３８のピン組み立て部３４０は、各々メインフレーム１００の結合部１１０と犁部２００の回転結合部２１０にそれぞれ回転ができるように結合される。
【００５３】
このような本発明の第２の実施例の動作過程も第１の実施例と類似しているところ、耕作部２００が障害物によって上側を回転する際、胴体３２１の両側の第１のロード３３５と第２のロード３３８が圧縮され、油圧が逃がし弁３２３を通じて第１の流入孔３２５及び第２の流入孔３３１に分配されて流入され、加圧板３３６、３３９の後方部位の油圧は第３の油圧ライン３２７と第４の油圧ライン３３３を通じて第３の流入孔３２９に流入される。
【００５４】
その後、障害物の回避が完了すれば、犁部２００の自重と加圧板３３６、３３９の前面部位に作用する圧力によって犁部２００が下降するようになり、地の耕作時に加圧板３３６、３３９の前面部位が後面部位よりも大きな圧力が作用することで犁部２００は容易に持ち上げられなくなるので、地が均一に耕作される。
【００５５】
図４は、本発明の第３の実施例であって、シリンダー胴体３５１の一側にロード３５６が結合され、そのロード３５６の前端には加圧板３５７が形成され、後端は犁部２００の回転結合部２１０に結合されるためのピン組み立て部３５８が形成されている。
【００５６】
また、胴体３５１のロード３５６が挿入される一側には第１の油圧孔３５４が形成され、このような第１の油圧孔３５４はロード３５６が伸張された際、加圧板３５７の後側部位に位置するようになる。
【００５７】
胴体３５１の他側には第２の油圧孔３５２が形成されており、第１の油圧孔３５４と第２の油圧孔３５２との間には金属管の形態の油圧ライン３５３が連結される。
【００５８】
よって、耕作部２００が障害物によって上側を回転する際、ロード３５６が圧縮され、加圧板３５７の前方部位の油圧が第２の油圧孔３５２を通じて第１の油圧孔３５４に流入される。
【００５９】
この際、加圧板３５７の前方部位の油圧と後方部位の油圧は同一になるが、加圧板３５７の後面部位に作用する圧力はロード３５６の太さだけ圧力が加えられる面積が減るので、加圧板３５７の前面部位が後面部位よりも更に大きな圧力を受けるようになり、ロード３５６が伸張される力を有するようになる。
【００６０】
犁部２００が障害物を回避した後には加圧板３５７の前面部位に加えられる圧力によってロード３５６が伸張されるので、犁部２００は元の位置に戻され、これと同時に加圧板３５７の油圧は油圧ライン３５３を通じて第２の流入孔３５２に流入される。
【００６１】
犁部２００が障害物によって妨害されない平常の耕作作業時には、加圧板３５７の前面部位に作用する圧力が後面部位に作用する圧力よりも大きくなり、犁部２００は容易に持ち上げられなくなるので、地が均一に耕作される。
【００６２】
一方、図５に示すように、本発明の第１の及び第３の実施例では、回転結合部２１０に回転アーム３６０が上下方向に回転が可能になるように結合され、その回転アーム３６０にはナット部材３６１が固定され、シリンダー３００に挿入されない部位のロード３１１の外側にはネジ山３６２が形成されてナット部材３６１と結合される。
【００６３】
よって、ナット部材３６１に結合されて固定されるロード３１１の位置によって、シリンダー３００の内部の加圧板の位置が決定されることで、これにより油圧空間の油圧のサイズが変わるようになる。
【００６４】
つまり、ロード３１１のストローク距離によって加圧板の加圧力が調節される構造であって、冬季にはロード３１１を回転させてシリンダー３００の内部にもっと前進させることで、加圧板の位置を前方に移動させて初期状態を設定するようになる。
【００６５】
これは油圧空間での油圧を大きくして、寒い気温による油圧の凝縮時にも適切な油圧が維持できるようにする。
【００６６】
また、暑い夏季には油圧が膨脹されるので、ロード３１１を後進させて加圧板の位置を後方に移動させて初期状態を設定することで、適切な圧力を維持させるようにする。
【００６７】
結局、ロード３１１の初期状態を固定することで、シリンダー３００の内部から発生する圧力のサイズを調節することができる。
【００６８】
このような回転アーム３６０とナット部材３６１は結合部１１０に形成されることができ、シリンダー３００は反対方向に設けられて後方が回転結合部２１０に回転ができるように結合され、ロード３１１がナット部材３６１に結合される構造を有することもできる。
【００６９】
また、このような構造は、本発明の第２の実施例に適用されて第１のロード３３５及び第２のロード３３８にも適用されることができる。
【００７０】
つまり、回転結合部２１０と結合部１１０にそれぞれ回転アームが備えられ、その回転アームに備えられたナット部材に第１のロード３３５と第２のロード３３８がそれぞれ結合される構造を有することができる。
【００７１】
図６は、シリンダー３００の後方に長ボルト３６３を連結し、前記長ボルト３６５を結合部１１０の回転軸１１１を貫通して上下方向に回転が可能になるように位置させ、回転軸１１１の後方及び前方でナット部材３６３、３６４によって長ボルト３６５の位置を固定させる構造である。
【００７２】
これにより、シリンダー３００の前後方位置を変更することでロード３１１のストローク距離が制限され、加圧板の加圧力を調節することができる。
【００７３】
このような構造はシリンダー３００を反対に位置させて回転結合部２１０に適用させることができる。
【符号の説明】
【００７４】
３０１  シリンダー胴体
３０２  第１の流出孔
３０３  逃がし弁
３０４  第１の油圧ライン
３０５  第１の流入孔
３０６  第２の流出孔
３０７  第２の油圧ライン
３０８  チェック弁
３０９  第２の流入孔
３１０  ピン組み立て部
３１１  ロード
３１２  加圧板
３１３  ピン組み立て部
【図１】
2017093417.tif 000003
【図２】
2017093417.tif 000004
【図３】
2017093417.tif 000005
【図４】
2017093417.tif 000006
【図５】
2017093417.tif 000007
【図６】
2017093417.tif 000008
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板が形成されたロードが挿入される胴体と、
前記胴体の一側にそれぞれ形成された第１の流入孔と第２の流出孔と、
前記胴体からロードが伸張された際、加圧板の後側部位にそれぞれ形成された第１の流入孔と第２の流出孔と、
胴体の他側にそれぞれ形成された第１の流出孔と第２の流入孔と、
前記第１の流出孔に設けられ、胴体の内部の圧力が所定値を超えた際に開く逃がし弁と、
前記逃がし弁と第１の流入孔を連結する第１の油圧ラインと、
前記第２の流出孔と第２の流入孔を連結する第２の油圧ラインと、
前記第２の流出孔または第２の流入孔または第２の油圧ライン上に設けられ、第２の流出孔に油圧が逆流入されることを防止するチェック弁と、で構成され、
前記第１の流入孔と第２の流出孔は、胴体からロードが伸張された際、加圧板の後方部位にそれぞれ位置し、前記第１の流出孔と第２の流入孔はロードが圧縮された際、加圧板の前方部位にそれぞれ位置するように構成された
ことを特徴とする耕作機の安全装置。
【請求項２】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板がそれぞれ形成された第１のロードと第２のロードが両側にそれぞれ挿入される胴体と、
前記胴体の中央部位にそれぞれ形成される第１の流出孔と第３の流入孔と、
前記第１のロードが挿入される胴体の一側にそれぞれ形成された第１の流入孔と第２の流出孔と、
前記第２のロードが挿入される胴体の他側にそれぞれ形成された第２の流入孔と第３の流出孔と、
前記第１の流出孔に設けられる逃がし弁と、
前記逃がし弁と第１の流入孔を連結する第１の油圧ラインと、
前記逃がし弁と第２の流入孔を連結する第２の油圧ラインと、
前記第２の流出孔と第３の流入孔を連結する第３の油圧ラインと、
前記第３の流出孔と第３の流入孔を連結する第４の油圧ラインと、
前記第２の流出孔または第３の油圧ライン上に設けられ、第２の流出孔に油圧が逆流入されることを防止する第１のチェック弁と、
前記第３の流出孔または第４の油圧ライン上に設けられ、第３の流出孔に油圧が逆流入されることを防止する第２のチェック弁と、で構成され、
前記第１の流入孔と第２の流出孔は、胴体から第１のロードが伸張された際、加圧板の後方部位にそれぞれ位置し、前記第２の流入孔と第３の流出孔は、第２のロードが伸張された際、加圧板の後方部位にそれぞれ位置し、前記第１の流出孔と第３の流入孔は、前記第１のロードと第２のロードが圧縮された際、その前方部位に位置するように構成された
ことを特徴とする耕作機の安全装置。
【請求項３】
前方にトラクターと連結されて牽引されるトラクター連結部を備えるメインフレームと、前記メインフレームに上下方向への回転が可能になるように設けられて地を耕作する耕作部と、前記耕作部をメインフレームからの回転を弾性支持する駆動シリンダーと、で構成された耕作機の安全装置において、
前記駆動シリンダーは、
前端に加圧板が形成されたロードが挿入される胴体と、
前記胴体の一側に形成され、油が出入して胴体の油圧を変える第１の油圧孔と、
前記胴体の他側に形成され、油が出入して胴体の油圧を変える第２の油圧孔と、
前記第１の油圧孔と第２の油圧孔を連結する油圧ラインと、で構成され、
前記第１の油圧孔は、胴体からロードが伸張された際、加圧板の後方部位に位置し、前記第２の油圧孔は、ロードが圧縮された際、加圧板の前方部位にそれぞれ位置するように構成された
ことを特徴とする耕作機の安全装置。
【請求項４】
前記ロードまたは第１のロードまたは第２のロードの中、何れか一つにはねじ山が備えられ、前記メインフレームまたは耕作部に回転アームが回転が可能になるように更に結合され、前記回転アームには、ナット部材が固定されて設けられ、前記ロードとナット部材が結合される
請求項１ないし３のいずれかに記載の耕作機の安全装置。
【請求項５】
前記駆動シリンダーの後方には長ボルトが更に連結され、前記メインフレームまたは耕作部に形成された結合部に長ボルトが上下方向への回転が可能になるように結合され、長ボルトが結合部の前方及び後方でナット部材によって固定される
請求項１ないし３のいずれかに記載の耕作機の安全装置。